(57)【要約】  開いた形態および閉じた形態の間で調整可能であるタバコ産業製品用の容器（１０）であって、内部領域（５０）と、スライドさせて嵌まるように構成された第１および第２部分とを含み、これによりこれら部分の１つをもう一方の部分の方にスライドさせることによって内部領域（５０）が容器（１０）を開封した際に圧力が知覚できるように解放される程度に充分な圧力に加圧されるタバコ産業製品用容器（１０）。
2012510409.tif 000002
【特許請求の範囲】
【請求項１】
開いた形態および閉じた形態の間で調整可能であるタバコ産業製品用の容器であって、
内部領域と、スライドさせて嵌まるように構成された第１および第２部分とを含み、これによりこれらの部分の１つをもう一方の部分の方にスライドさせることによって内部領域が容器を開封した際に圧力が知覚できるように解放される程度に充分な圧力に加圧されるタバコ産業製品用容器。
【請求項２】
開いた形態および閉じた形態の間で調整可能であるタバコ産業製品用の容器であって、
内部領域と、
スライドさせて嵌まるように構成された第１および第２部分とを含み、これによりこれらの部分の１つをもう一方の部分の方にスライドさせることによって内部領域が約１．１バール超の圧力に加圧されるタバコ産業製品用容器。
【請求項３】
開いた形態および閉じた形態の間で調整可能であるタバコ産業製品用の容器であって、
内部領域と、
スライドさせて嵌まるように構成された第１および第２部分とを含み、これによりこれらの部分の１つをもう一方の部分の方にスライドさせることによって内部領域が加圧され、解除される圧力が容器の内部領域に維持されるタバコ産業製品用容器。
【請求項４】
前記第１および第２部分の一方を他方の方にスライドさせた後、これら第１および第２部分を固定するように構成された締結機構をさらに含む、ことを特徴とする請求項１乃至３いずれか１項記載のタバコ産業製品用容器。
【請求項５】
容器が加圧されているか否かを示す表示エレメントをさらに含む、ことを特徴とする請求項１乃至４いずれか１項記載のタバコ産業製品用容器。
【請求項６】
前記容器が喫煙品用の容器である、ことを特徴とする請求項１乃至５いずれか１項記載のタバコ産業製品用容器。
【請求項７】
前記第１部分がカラーセクションを有し、
このカラーセクションと前記第２部分がスライドして嵌まるように構成されている、ことを特徴とする請求項１乃至６いずれか１項記載の容器。
【請求項８】
前記第１部分が円筒状のカラーセクションを有する管状胴体を含み、
前記第２部分が管状の蓋を含み、
前記円筒状カラーセクションと管状の蓋がスライドして嵌まる、ことを特徴とする請求項１乃至６いずれか１項記載の容器。
【請求項９】
締結機構を有する請求項８記載の容器であって、この締結機構がはめ込み式の締結機構である、ことを特徴とする容器。
【請求項１０】
前記第１部分が一端に実質的に平行６面体のカラー部分と有する胴体と、前記一端と反対の端部に容器を開閉するためのヒンジ式の蓋とを含み、前記第２部分が実質的に平行６面体形状の密閉部材を含み、前記カラー部分と密閉部材がスライドして嵌まるように構成されている、ことを特徴とする請求項１乃至６いずれか１項記載の容器。
【請求項１１】
前記容器が成型されたプラスチックで形成されている、ことを特徴とする請求項１乃至１０いずれか１項記載の容器。
【請求項１２】
タバコ産業製品用の容器を加圧する方法であって、この方法は、容器の一方の部分を他方の部分の方へスライドさせて、容器の内部領域が容器を開封した際に圧力が知覚できるように解放される程度に充分な圧力に加圧されるようにすることを含む方法。
【請求項１３】
タバコ産業製品用の容器を加圧する方法であって、この方法は、容器の一方の部分を他方の部分の方へスライドさせて、容器の内部領域が約１．１バール超の圧力に加圧されるようにすることを含む方法。
【請求項１４】
タバコ産業製品用の容器を加圧する方法であって、この方法は、容器の一方の部分を他方の部分の方へスライドさせて、容器の内部領域が加圧され、解除される圧力が容器の内部領域に維持されるようにすることを含む方法。
【請求項１５】
前記方法が窒素雰囲気中で行われる、ことを特徴とする請求項１２乃至１４いずれか１項記載の方法。
【請求項１６】
請求項１２乃至１５いずれか１項記載の方法を実施するために構成された装置。
【発明の詳細な説明】
【技術分野】
【０００１】
本発明は、タバコ産業製品用容器に関する。
【背景技術】
【０００２】
本明細書で使用するタバコ産業製品なる用語は、ａ）紙巻きタバコ、シガリロ、葉巻、パイプまたは手巻きタバコ用のタバコ（タバコ、タバコ派生物、膨張タバコ、再生タバコまたはタバコ代替え品をベースにしているに拘わらず）、ｂ）嗅ぎタバコ、スヌース、ハードタバコ（ｈａｒｄ  ｔｏｂａｃｃｏ）および発熱するが燃焼しない製品（ｈｅａｔ−ｎｏｔ−ｂｕｒｎ  ｐｒｏｄｕｃｔｓ）などのタバコ、タバコ派生物、膨張タバコ、再生タバコまたはタバコ代替え品を含む非喫煙製品および、ｃ）スヌースおよびニコチン送出製品などの経口タバコ製品を含む無煙タバコなどを一般的に含むタバコ産業によって製造、販売されるあらゆる物品を含む。この例示は、排他的なものを意味するものではなく、タバコ産業に関連する製品の範囲を例示したに過ぎない。
【０００３】
従来のタバコ産業製品は、多くの場合熱で封止可能な透明フィルムからなる外方ラッパー、最も一般的には開封しやすくするための開封テープが組み込まれたポリプロピレンを含む。この外方フィルムは、機能的な利点およびユーザーへの利点の両方を提供する。このフィルムは、水分バリアーとして機能し、これによりパッケージ内の製品の保存期間の安定に寄与する。さらにユーザーにとっては、このプラスチックフィルムによってその中のタバコ産業製品が未使用であることを確認できる。
【発明の概要】
【発明が解決しようとする課題】
【０００４】
本発明は、タバコ産業製品用に改善された容器を提供する。
【課題を解決するための手段】
【０００５】
本発明は、タバコ産業製品用の容器を提供し、この容器は、開いた形態および閉じた形態の間で調整可能であり、内部領域と、スライドさせて嵌まるように構成された第１および第２部分とを含み、これによりこれら部分の１つをもう一方の部分の方にスライドさせることによってこの内部領域が外圧より大きな圧力に加圧されるようになっている。
【０００６】
これら第１および第２部分の一方を他方の方へスライドさせて１．１バール超の圧力が内部領域に加わるようにしてもよい。しかしながら内部領域は、１．２バール超、または１．５バール超の圧力が加わるようにしてもよい。上記スライドによって１．１乃至２バールの圧力が内部領域に加わるようにするのが好ましい。
【０００７】
容器内を過圧状態にすることは、大気圧にある対応する容器と比較して紙巻きタバコの染みまたは汚れが生じる可能性を減少させるのでタバコ産業製品の長期保存を可能にする。
【０００８】
また本発明は、別のタバコ産業製品用の容器を提供し、この容器は、開いた形態および閉じた形態の間で調整可能であり、内部領域と、スライドさせて嵌まるように構成された第１および第２部分とを含み、これによりこれら部分の１つをもう一方の部分の方にスライドさせることによって内部領域が容器を開封した際に圧力が知覚できるように解放される程度に充分な圧力に加圧されるようになっている。
【０００９】
従ってユーザーが容器を開封した際にユーザーは、圧力が解放されたことを感じる。この圧力の解放は、容器内のタバコ産業製品の鮮度に関するユーザーへの情報を提供する。
【００１０】
また本発明は、別のタバコ産業製品用の容器を提供し、この容器は、開いた形態および閉じた形態の間で調整可能であり、内部領域と、スライドさせて嵌まるように構成された第１および第２部分とを含み、これによりこれら部分の１つをもう一方の部分の方にスライドさせることによって内部領域が加圧され、容器が開封またはシールが剥がされるまで圧力が容器の内部領域に維持される。
【００１１】
従って本発明の容器は、加圧された容器の機能的利点およびユーザーへの利点が、容器が開封されるまで、またはシールが剥がされるまで維持されるように構成されている。
【００１２】
本発明の容器は、加圧されると、第１および第２の部分が離れるようにこれら部分を付勢する。一例では第１および第２部分は、その間の摩擦抵抗によって圧力に抗して所定の位置に保持される。別の例では容器は、第１および第２部分の一方が他方に対してスライドした後、第１および第２部分を所定の位置に保持するための締結機構を含む。
【００１３】
好ましくは本発明の容器は、喫煙品用の容器である。本明細書中で使用する「喫煙品」なる用語は、タバコ、タバコ派生物、膨張タバコ、再生タバコまたはタバコ代替え品をベースにしたものであるかに関係なく紙巻きタバコ、シガーおよびシガリロなどの喫煙可能な喫煙品および発熱するが燃焼しない製品（ｈｅａｔ−ｎｏｔ−ｂｕｒｎ  ｐｒｏｄｕｃｔｓ）などを含む。喫煙品には喫煙者によって吸引される気体流用のフィルターが設けられていてもよい。
【００１４】
本発明が完全に理解されるようにそのいくつかの実施態様を添付の図面を参照して例示を目的として以下に詳しく説明する。
【図面の簡単な説明】
【００１５】
【図１ａ】管状の紙巻きタバコ容器の斜視図である。
【図１ｂ】図１ａの容器の断面図である。
【図２ａ】図１ａの容器を加圧する方法の工程を例示する。
【図２ｂ】図１ａの容器を加圧する方法の工程を例示する。
【図２ｃ】図１ａの容器を加圧する方法の工程を例示する。
【図２ｄ】図１ａの容器を加圧する方法の工程を例示する。
【図２ｅ】図２ａに対応する断面図である。
【図２ｆ】図２ｂに対応する断面図である。
【図２ｇ】図２ｃに対応する断面図である。
【図２ｈ】図２ｄに対応する断面図である。
【図３ａ】締結機構を示す図である。
【図３ｂ】締結機構を示す図である。
【図３ｃ】締結機構を示す図である。
【図４ａ】締結機構を含む管状紙巻きタバコ容器の蓋と胴体を締結する方法の工程を例示した図である。
【図４ｂ】締結機構を含む管状紙巻きタバコ容器の蓋と胴体を締結する方法の工程を例示した図である。
【図４ｃ】図４ａに示したＡ−Ａ線に沿った図４ａに対応する断面図である。
【図４ｄ】図４ｂに示したＢ−Ｂ線に沿った図４ｂに対応する断面図である。
【図５】ヒンジ式蓋付き紙巻きタバコ容器を示す。
【図６】図５のヒンジ式蓋付き紙巻きタバコ容器の立面図である。
【図７】開いた位置にあるヒンジ式蓋付き紙巻きタバコ容器を示す図である。
【図８】閉じた位置にあるヒンジ式蓋付き紙巻きタバコ容器を示す図である。
【発明を実施するための形態】
【００１６】
図１ａおよび１ｂは、紙巻きタバコ２０などの喫煙品用の管状容器１０の斜視図および断面図である。容器１０は、成型されたプラスチックで作製されるのが好ましいが、これとは別に空気を透過しないあらゆる他の好適な材料で作製することも可能である。容器の好適な材料としては、金属、ポリエチレンテレフタレート（ＰＥＴ）、スチレンアクリロニトリル（ＳＡＮ）、ポリプロピレン（ＰＰ）、ポリエチレン（ＰＥ）または硬材などが挙げられるが、これらに限定されない。
【００１７】
図１ａおよび１ｂに示すように容器１０は、長尺の胴体３０として形成された第１部分と管状キャップ４０形状の第２部分とを有し、第２部分は、胴体３０にスライドして嵌まる。以下に詳しく説明するようにキャップと胴体は、一方を他方に対してスライドさせることによって容器１０の内部５０が正の圧力を受けるように充分密に嵌め合わされる。
【００１８】
図１に示すように長尺の胴体の構造について詳しく言及すると、胴体３０は、円筒状の下方セクション６０と円筒状のカラーセクション７０とを有し、カラーセクション７０は、下方セクション６０の外径より小さい外径を有する。
【００１９】
下方セクション６０は、環状の上面６６と閉じた底部８０を有する閉じた円筒状壁６５を含む。底部８０は、円筒状壁６５と一体であり、長尺の胴体の長手方向軸に対して実質的に直角に配置されている。
【００２０】
カラーセクション７０は、胴体４０の環状の上面６６と一体の閉じた円筒状壁７５を有する。壁７５によって形成される内方のスペースは、壁６５によって形成された内方スペースに開口し、このようにして壁６５、７５は、紙巻きタバコ用容器２０の内側に長尺のスペースを形成している。図に示すようにカラーセクション７０は、紙巻きタバコを取り出すための開口端部９０を有する。
【００２１】
カラー７０、環状の上面６６、円筒状壁６５および底部８０は、互いに一体であるものとして説明したが、胴体を２つの管で形成し、一方を他方の中に固定し、内方の管がカラーセクションを含み、外方の管が円筒状壁と、環状の上面と、底部とを含むようにしてもよい。
【００２２】
図１ａおよび１ｂを参照すると、環状キャップ４０は、開口した端部１１０、円筒状の壁１２０、閉じた頂部１００を有し、この頂部１００は、円筒状壁１２０と一体になっている。円筒状壁１２０は、長尺胴体の円筒状のカラーセクション７０を受けるための収容スペースを形成し、キャップ４０がスライド式に胴体３０に嵌め合わされるように構成されている。図に示すようにキャップ４０の円筒状壁１２０の内面１２５の直径は、キャップ４０と胴体３０が密閉嵌合するようにカラーセクション７０の円筒状壁７５の外面７６の直径と同じか、ごく僅かに大きくなっている。
【００２３】
図２ａ、２ｂ、２ｃおよび２ｄに図示するようにキャップ４０と胴体３０を共にスライドさせることによって容器１０に正圧が加わる。図２ｅ、２ｆ、２ｇおよび２ｈは、図２ａ、２ｂ、２ｃおよび２ｄにそれぞれ対応する断面を示している。図２ｅおよび２ｆに示すようにキャップ４０は、キャップ４０の壁１２０の内面１２５とカラー領域７０の壁７５の外面７６が互いに接触するようにカラー領域７０上に配置され、これにより胴体３０とキャップ４０とによって囲まれた領域の空気の容積Ｖ１を密閉する。図２ｇおよび２ｈに示すようにキャップと胴体を共にスライドさせることによって密閉された領域の容積Ｖ２を容積Ｖ１より小さい容積Ｖ２に減少させる。密閉された領域は、実質的にまたは完全に気密状態であり、これによりキャップと胴体を共にスライドさせた際に空気が逃げない、または実質的に逃げないようになっている。従って密閉された領域内の空気は、キャップと胴体をスライドさせた際に圧縮され、これにより容器１０の内部領域の圧力を外気の圧力よりも大きくする。即ち、容器１０は、正圧状態になる。
【００２４】
キャップ４０を胴体３０の方へスライドさせることによって、内部領域は、１．１バール超の圧力に加圧される。しかしながら内部領域は、１．２バール超または１．５バール超の圧力に加圧してもよい。内部領域は、１．１乃至２バールの圧力に加圧されるのが好ましい。
【００２５】
図２ｅ、２ｆ、２ｇおよび２ｈに示す例において、胴体３０の円筒状カラーセクション７０の高さＬは、キャップ４０の円筒状内壁１２５の高さと同じである。従ってキャップ４０と胴体３０は、距離Ｌに亘ってスライド可能である。距離Ｌが容器に加圧される圧力を決める。例えば距離Ｌは、キャップと胴体をスライドさせた際に容器の内部が１．１バール超の圧力に加圧されるように選択してもよい。しかしながら長さＬを容器が１．５乃至３バールの圧力に加圧されるように選択してもよい。
【００２６】
さらにキャップ４０と胴体３０間を密に密閉することによって長期間、例えば１週間、１カ月、３カ月、６カ月または１年以上、容器内に正圧が維持されるのが好ましい。
【００２７】
このようにしてキャップと胴体は、大気圧より大きい圧力の正圧が例えば１週間、１カ月超、３カ月超、６カ月超または１年超に亘って維持されるように充分密に嵌め合わされる。
【００２８】
完全に閉じた容器を図２ｄに示し、その断面を図２ｈに示す。容器はその中に密閉され、圧縮された量の空気を有し、容器の内部は、大気圧より大きい正圧を有する。
【００２９】
例示した加圧工程は、管状のキャップ４０の形状の第２部分を管状の胴体３０の形状の第１部分の方へスライドさせることを示しているが、これとは別に容器を管状の胴体３０を管状のキャップ４０の方にスライドさせることによって、または胴体３０とキャップ４０を互いの方に同時にスライドさせることによって加圧することも可能である。
【００３０】
さらに当業者であれば所望の正圧を得るために第１部分および第２部分の多くの異なる適応および形状が可能であることを理解するはずである。
【００３１】
このようにして容器が閉じられると、容器内の圧縮された空気は、胴体とキャップをこれらが離れるように付勢しようとする圧力をかける。例えば圧力は、キャップの内面とカラー領域の外面との摩擦抵抗でバランスを取ってもよい。即ち、摩擦抵抗が容器内の圧縮空気によって圧力が掛かってもキャップを胴体の所定の位置に維持する。
【００３２】
しかしながらこれとは別にまたは加えて、キャップ４０と長尺の胴体３０を共に保持するための差し込み式に固定するような締結機構を容器１０が有してもよい。
【００３３】
図３ａおよび３ｂは、キャップ４０の直交断面図であり、図３ｃはこのような締結機構を有する容器の胴体３０の斜視図である。図３ａおよび３ｂを参照すると、はめ込み式締結機構は、キャップ４０の円筒状壁１２０の内面１２５に配置された突起１３０と、この突起を密閉状態に受けるカラーセクション７０の壁７５の長尺の溝１５０と、カラーセクション７０の底縁部を囲むゴムのＯ状リング１５５とを含む。図に示すように溝１５０は、長手方向に延びた部分１６０と、円周方向に延びた部分１７０とを含む。図４ａおよび４ｂを参照すると、キャップ４０を胴体に締結する際、突起１３０が長手方向に延びた部分１６０に受けられるようにキャップ４０は、カラー部分７０に亘って置かれる。突起と溝は、これらの間に密な密閉嵌合が生じ、キャップと胴体を共にスライドさせることによって上述したように容器を加圧するように適合している。キャップと胴体は、突起が長手方向のセクションの底部に到達するまで共に押し込まれ、図４ｂに示すようにＯリング１５５を圧縮する。
【００３４】
その後キャップ４０を旋回させ、突起１３０を円周方向に延びた部分１７０内に案内し、その後キャップは、解放される。キャップがこの位置で解放されると、圧縮されたＯリング１５５からの復元力によって突起１３０を溝１５０の円周方向に延びた部分１７０の上壁１７５に対して付勢し、これにより蓋と胴体がしっかりと保持される。圧縮されたＯリング１５５もまたキャップと基部との間で高度の密閉を提供する。
【００３５】
上記では閉じた容器が正の加圧された多量の空気を含むものとして説明したが、容器は、正の加圧された別の気体、例えば窒素を含むことも可能である。これは窒素雰囲気中で基部上にキャップをスライドさせて、容器内に一定量の窒素を封止することによって行われる。
【００３６】
さらに別の例では、胴体の円筒状のカラーセクションの高さがキャップ４０の円筒状の内壁の高さと異なってもよい。この場合、キャップ４０と胴体３０がスライド可能な距離Ｌは、これら２つの高さより短くなる。
【００３７】
容器１０は、さらに容器が加圧されているかどうかを示すための表示エレメント（図示せず）を含んでもよい。この表示エレメントは、例えば、容器が加圧された際に容器１０の面から判るように突出する胴体３０またはキャップ４０に配されたボタンまたはニップルであってもよい。
【００３８】
容器は、販売前に人によってまたは包装機で加圧してもよい。容器内の過圧は、大気圧にある対応する容器と比較して、紙巻きタバコの染み、汚れが発生する可能性を低減させ、その中に含まれるタバコ産業製品の長期保存を可能にする。このように長期保存を可能にすることの１つの可能な、しかし限定するものではない説明として、過圧が水および他の揮発性成分の内部蒸気圧を減少させることが挙げられる。さらに最初に容器を開封した購入者は、圧力が解放されたことを認識し、これによって紙巻きタバコの鮮度を確認することができる。
【００３９】
さらにユーザーが容器を閉じるたびに、紙巻きタバコを染み、汚れの可能性が少ない状態で保管できるように容器は、再度加圧される。
【００４０】
図５、６、７および８は、図１に示した容器の変形例を例示しており、この容器は、成型したプラスチックで形成してもよい。図５は、紙巻きタバコを保持するための胴体１９０形状の蓋２００を有する第１部分を含む容器１８０を示す。胴体１９０は、主胴体２２０およびこの主胴体２２０と一体のカラー部分２３０を有する。蓋２００は、容器の背部に位置する密閉されたヒンジ２１０によって胴体１９０に取り付けられている。ヒンジ２１０のヒンジ線は、プラスチック胴体１９０の強度が弱められた折り曲げ可能な部分として形成してもよい。このヒンジによって蓋が閉じた位置（図５に示すように）と開いた位置（図７に示すように）との間で回転することができる。容器が閉じられると、蓋が容器の前面でヒンジ２１０に平行に位置する閉鎖線２１５に沿って胴体と接触する。
【００４１】
図６は、喫煙品容器１８０の前面（図６ａ）、背面（図６ｂ）および側面（図６ｃ、６ｄ）を示している。図に示すように、主胴体２２０は、互いに平行で、第１および第２の平行な四辺形の側壁２６０、２７０を介して接続された第１および第２の矩形の面２４０、２５０を有する。カラー部分２３０は、互いに平行で、第１および第２の平行な四辺形の側壁３００、３１０を介して接続された第１および第２の矩形の面２８０、２９０を有する。図に示すようにカラー部分の外面の断面の周囲は、胴体部の外面の断面の周囲長さより短い。胴体１９０は、胴体と蓋を密閉状態に掛け留めするためのラッチ機構を有し、これは蓋２００に位置するタブまたは突起（図示せず）および胴体部２２０に位置する対応する孔または凹部（図示せず）を含んでもよい。このようにしてパックが閉められると、タブが凹部に係合または入り込むことができ、パックを閉じた位置で密閉状態に維持する。
【００４２】
図５および６を参照すると、容器はさらにカラー部分２３０にスライド式に嵌まるように構成された実質的に平行６面体形状の密閉部材２３０として形成された第２部分を含む。図に示すように密閉部材は、互いに平行で、第１および第２の平行な矩形の側壁３５０、３６０を介して接続された第１および第２の矩形の面３３０、３４０を有する。この密閉部材は、さらに前面および側壁３３０、３４０、３５０、３６０の縁部に一体に形成された端壁３７０を含む。
【００４３】
図５に示すようにカラー部分２３０の断面の周囲は、密閉部材３２０の断面内方周囲と同じまたはこれより僅かに短く、密閉部材と胴体が密閉されて嵌まり合うようになっている。従って蓋が胴体に密閉状態に掛け留めされたとき、密閉部材と胴体を共にスライドさせることによって容器の内部は、正の圧力が加えられる。閉じた状態の容器を図８に示す。このようにして容器が閉じられると、容器の内側の圧縮空気からの圧力は、例えば密閉部材とカラー領域との間の摩擦抵抗によってバランスを取ってもよい。しかしながらこれとは別に容器１８０は、密閉部材３２０と胴体１９０を所定の位置に保持するための締結機構を有してもよい。
【００４４】
多くの変更および変形例が当業者に自明であるところであるが、これらは以下の特許請求の範囲の範囲内である。
【図１ａ】
2012510409.tif 000003
【図１ｂ】
2012510409.tif 000004
【図２ａ】
2012510409.tif 000005
【図２ｂ】
2012510409.tif 000006
【図２ｃ】
2012510409.tif 000007
【図２ｄ】
2012510409.tif 000008
【図２ｅ】
2012510409.tif 000009
【図２ｆ】
2012510409.tif 000010
【図２ｇ】
2012510409.tif 000011
【図２ｈ】
2012510409.tif 000012
【図３ａ】
2012510409.tif 000013
【図３ｂ】
2012510409.tif 000014
【図３ｃ】
2012510409.tif 000015
【図４ａ】
2012510409.tif 000016
【図４ｂ】
2012510409.tif 000017
【図４ｃ】
2012510409.tif 000018
【図４ｄ】
2012510409.tif 000019
【図５】
2012510409.tif 000020
【図６ａ】
2012510409.tif 000021
【図６ｂ】
2012510409.tif 000022
【図６ｃ】
2012510409.tif 000023
【図６ｄ】
2012510409.tif 000024
【図７】
2012510409.tif 000025
【図８】
2012510409.tif 000026
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
開いた形態および閉じた形態の間で調整可能であるタバコ産業製品用の容器であって、
内部領域と、
スライドさせて嵌まるように構成された第１および第２部分とを含み、これによりこれらの部分の１つをもう一方の部分の方にスライドさせることによって内部領域が加圧され、解除される圧力が容器の内部領域に維持されるタバコ産業製品用容器。
【請求項２】
前記第１および第２部分の一方を他方の方にスライドさせた後、これら第１および第２部分を固定するように構成された締結機構をさらに含む、ことを特徴とする請求項１記載のタバコ産業製品用容器。
【請求項３】
容器が加圧されているか否かを示す表示エレメントをさらに含む、ことを特徴とする請求項１又は２記載のタバコ産業製品用容器。
【請求項４】
前記容器が喫煙品用の容器である、ことを特徴とする請求項１乃至３いずれか１項記載のタバコ産業製品用容器。
【請求項５】
前記第１部分と第２部分がスライドさせて嵌まるように構成され、これによりこれら部分の１つをもう一方の部分の方にスライドさせることによって内部領域が容器を開封した際に圧力が知覚できるように解放される程度に充分な圧力に加圧される、ことを特徴とする請求項１乃至４いずれか１項記載のタバコ産業製品用容器。
【請求項６】
前記第１部分と第２部分がスライドさせて嵌まるように構成され、これによりこれら部分の１つをもう一方の部分の方にスライドさせることによって内部領域が約１．１バール超の圧力に加圧される、ことを特徴とする請求項１乃至５いずれか１項記載のタバコ産業製品用容器。
【請求項７】
前記第１部分がカラーセクションを有し、
このカラーセクションと前記第２部分がスライドして嵌まるように構成されている、ことを特徴とする請求項１乃至６いずれか１項記載の容器。
【請求項８】
前記第１部分が円筒状のカラーセクションを有する管状胴体を含み、
前記第２部分が管状の蓋を含み、
前記円筒状カラーセクションと管状の蓋がスライドして嵌まる、ことを特徴とする請求項１乃至６いずれか１項記載の容器。
【請求項９】
締結機構を有する請求項８記載の容器であって、この締結機構がはめ込み式の締結機構である、ことを特徴とする容器。
【請求項１０】
前記第１部分が一端に実質的に平行６面体のカラー部分と有する胴体と、前記一端と反対の端部に容器を開閉するためのヒンジ式の蓋とを含み、前記第２部分が実質的に平行６面体形状の密閉部材を含み、前記カラー部分と密閉部材がスライドして嵌まるように構成されている、ことを特徴とする請求項１乃至６いずれか１項記載の容器。
【請求項１１】
前記容器が成型されたプラスチックで形成されている、ことを特徴とする請求項１乃至１０いずれか１項記載の容器。
【請求項１２】
タバコ産業製品用の容器を加圧する方法であって、この方法は、容器の一方の部分を他方の部分の方へスライドさせて、容器の内部領域が加圧され、解除される圧力が容器の内部領域に維持されるようにすることを含む方法。
【請求項１３】
前記方法が窒素雰囲気中で行われる、ことを特徴とする請求項１２記載の方法。
【請求項１４】
請求項１２または１３記載の方法を実施するために構成された装置。
【国際調査報告】
2012510409.tif 000027
2012510409.tif 000028
2012510409.tif 000029
2012510409.tif 000030
2012510409.tif 000031